(57)【特許請求の範囲】
【請求項１】
通信端末を示す端末識別情報と、該通信端末と通信可能な呼制御装置を示す装置識別情報とを関連付けて記憶するデータベースと、発信端末と着信端末との間の呼の確立を要求する呼確立要求信号を発信端末から受信する発側呼制御装置と、前記発側呼制御装置から受信した前記呼確立要求信号に基づいて管理エリア内の着信端末を呼び出すことが可能な複数の着側呼制御装置とを備える呼制御システムであって、
前記データベースが、
前記着信端末が在圏するエリアを示す位置情報に基づいて、該着信端末に対応する前記装置識別情報を、該着信端末が在圏するエリアを管理する着側呼制御装置を示す新たな装置識別情報に更新する更新手段と、
前記更新手段により前記装置識別情報が更新されたことを示す更新通知を、前記更新手段により更新される前の装置識別情報で示される着側呼制御装置に送信する更新通知送信手段と、
を備え、
前記発側呼制御装置が、
前記呼確立要求信号に含まれる前記着信端末の端末識別情報と関連付けられている装置識別情報を前記データベースから取得し、取得した装置識別情報で示される一の前記着側呼制御装置に該呼確立要求信号を送信する信号送信手段と、
前記信号送信手段により送信された呼確立要求信号を受信した前記一の着側呼制御装置から、前記着信端末が他のエリアに移動したことを示す移動通知を受信する移動通知受信手段と、
前記移動通知受信手段により移動通知が受信された場合に、前記着信端末の端末識別情報に対応する前記装置識別情報を前記データベースから再度取得し、取得した装置識別情報で示される別の前記着側呼制御装置に前記呼確立要求信号を再送信する信号再送信手段と、
を備え、
前記着側呼制御装置が、
前記発側呼制御装置から受信した呼確立要求信号に基づいて前記着信端末を呼び出す呼出手段と、
前記呼出手段により前記着信端末を呼び出しているときに前記データベースから前記更新通知を受信した場合に、該着信端末の呼出を中止し、前記移動通知を前記発側呼制御装置に送信する移動通知送信手段と、
を備える、
ことを特徴とする呼制御システム。
【請求項２】
前記更新通知送信手段が、前記着信端末が在圏するエリアを管理するコアネットワークの種類を示す在圏情報を含む更新通知を送信し、
前記移動通知送信手段が、前記更新通知送信手段により送信された更新通知から抽出した在圏情報を含む前記移動通知を送信し、
前記信号再送信手段が、前記移動通知送信手段により送信された移動通知に含まれる在圏情報に基づいて、前記呼確立要求信号に基づく呼出処理をどのコアネットワークを介して実行するかを決定し、決定結果に基づいて、前記着信端末の端末識別情報に対応する前記装置識別情報を前記データベースから再度取得する、
ことを特徴とする請求項１に記載の呼制御システム。
【請求項３】
通信端末を示す端末識別情報と、該通信端末と通信可能な呼制御装置を示す装置識別情報とを関連付けて記憶するデータベースと、発信端末と着信端末との間の呼の確立を要求する呼確立要求信号を発信端末から受信する発側呼制御装置と、前記発側呼制御装置から受信した前記呼確立要求信号に基づいて管理エリア内の着信端末を呼び出すことが可能な複数の着側呼制御装置とを備える呼制御システム、における呼制御方法であって、
前記発側呼制御装置が、前記呼確立要求信号に含まれる前記着信端末の端末識別情報と関連付けられている装置識別情報を前記データベースから取得し、取得した装置識別情報で示される一の前記着側呼制御装置に該呼確立要求信号を送信する信号送信ステップと、
前記一の着側呼制御装置が、前記信号送信ステップにおいて送信された呼確立要求信号に基づいて前記着信端末を呼び出す呼出ステップと、
前記データベースが、前記一の着側呼制御装置の管理エリアから移動した前記着信端末が在圏するエリアを示す位置情報に基づいて、該着信端末に対応する前記装置識別情報を、該着信端末が在圏するエリアを管理する着側呼制御装置を示す新たな装置識別情報に更新する更新ステップと、
前記データベースが、前記更新ステップにおいて前記装置識別情報が更新されたことを示す更新通知を、前記更新ステップにおいて更新される前の装置識別情報で示される前記一の着側呼制御装置に送信する更新通知送信ステップと、
前記一の着側呼制御装置が、前記呼出ステップにおいて前記着信端末を呼び出しているときに前記更新通知送信ステップにおいて送信された更新通知を受信した場合に、該着信端末の呼出を中止し、該着信端末が他のエリアに移動したことを示す移動通知を前記発側呼制御装置に送信する移動通知送信ステップと、
前記発側呼制御装置が、前記移動通知送信ステップにおいて送信された移動通知を受信する移動通知受信ステップと、
前記発側呼制御装置が、前記移動通知受信ステップにおいて移動通知が受信された場合に、前記着信端末の端末識別情報に対応する前記装置識別情報を前記データベースから再度取得し、取得した装置識別情報で示される別の前記着側呼制御装置に前記呼確立要求信号を再送信する信号再送信ステップと、
を含むことを特徴とする呼制御方法。
【発明の詳細な説明】
【技術分野】
【０００１】
本発明は、移動中の通信端末に対する着信処理を実行する呼制御システム及び呼制御方法に関するものである。
【背景技術】
【０００２】
最近、移動体通信網のコアネットワーク技術としてＩＭＳ（IP Multimedia Subsystem）ネットワークが整備されようとしている。ＩＭＳネットワークは、ＳＩＰ（Session Initiated Protocol）という通信プロトコルを用い、データ通信だけでなく音声や動画のリアルタイム通信を実現するマルチメディアサービスを提供できるネットワークである。下記特許文献１には、ＩＭＳネットワークを備える移動通信システムが記載されている。
【０００３】
ＩＭＳネットワークでは、ＣＳＣＦ（Call/Session Control Function）と呼ばれる呼制御装置、ＡＳ（Application Server）と呼ばれるサービス制御装置、及びＣＳ−ＧＷ（Circuit Switched Gateway）と呼ばれるゲートウェイノードの協働により呼制御が実行される。また、ＩＭＳネットワークでは、移動通信端末の呼制御を実行するＣＳＣＦ、ＡＳ及びＣＳ−ＧＷの情報（加入者情報）がＨＬＲ（Home Location Register）又はＨＳＳ（Home Subscriber Server）という加入者データベースに記憶される。ＩＭＳネットワークにおいても、加入者情報は移動通信端末の現在位置を示す位置情報に基づいて登録及び更新される（Registration処理）。
【特許文献１】特開２００７−６０１８１号公報
【発明の開示】
【発明が解決しようとする課題】
【０００４】
ＩＭＳネットワークでは、上記Registration処理と着信処理（Paging処理）とが別個独立に実行される。そのため、移動中の通信端末に対して着信処理を実行すると、場合によっては、移動前のエリアを管理するＣＳＣＦにより着信処理が実行され、その処理に対して通信端末が応答しないために、呼損が発生する可能性がある。
【０００５】
本発明は、上記課題を解決するためになされたものであり、呼制御装置が管理するエリアを跨いで移動した通信端末に対して、呼損を生じることなく着信処理を実行することが可能な呼制御システム及び呼制御方法を提供することを目的とする。
【課題を解決するための手段】
【０００６】
本発明の呼制御システムは、通信端末を示す端末識別情報と、該通信端末と通信可能な呼制御装置を示す装置識別情報とを関連付けて記憶するデータベースと、発信端末と着信端末との間の呼の確立を要求する呼確立要求信号を発信端末から受信する発側呼制御装置と、発側呼制御装置から受信した呼確立要求信号に基づいて管理エリア内の着信端末を呼び出すことが可能な複数の着側呼制御装置とを備える呼制御システムであって、データベースが、着信端末が在圏するエリアを示す位置情報に基づいて、該着信端末に対応する装置識別情報を、該着信端末が在圏するエリアを管理する着側呼制御装置を示す新たな装置識別情報に更新する更新手段と、更新手段により装置識別情報が更新されたことを示す更新通知を、更新手段により更新される前の装置識別情報で示される着側呼制御装置に送信する更新通知送信手段と、を備え、発側呼制御装置が、呼確立要求信号に含まれる着信端末の端末識別情報と関連付けられている装置識別情報をデータベースから取得し、取得した装置識別情報で示される一の着側呼制御装置に該呼確立要求信号を送信する信号送信手段と、信号送信手段により送信された呼確立要求信号を受信した一の着側呼制御装置から、着信端末が他のエリアに移動したことを示す移動通知を受信する移動通知受信手段と、移動通知受信手段により移動通知が受信された場合に、着信端末の端末識別情報に対応する装置識別情報をデータベースから再度取得し、取得した装置識別情報で示される別の着側呼制御装置に呼確立要求信号を再送信する信号再送信手段と、を備え、着側呼制御装置が、発側呼制御装置から受信した呼確立要求信号に基づいて着信端末を呼び出す呼出手段と、呼出手段により着信端末を呼び出しているときにデータベースから更新通知を受信した場合に、該着信端末の呼出を中止し、移動通知を発側呼制御装置に送信する移動通知送信手段と、を備える、ことを特徴とする。
【０００７】
また、本発明の呼制御方法は、通信端末を示す端末識別情報と、該通信端末と通信可能な呼制御装置を示す装置識別情報とを関連付けて記憶するデータベースと、発信端末と着信端末との間の呼の確立を要求する呼確立要求信号を発信端末から受信する発側呼制御装置と、発側呼制御装置から受信した呼確立要求信号に基づいて管理エリア内の着信端末を呼び出すことが可能な複数の着側呼制御装置とを備える呼制御システム、における呼制御方法であって、発側呼制御装置が、呼確立要求信号に含まれる着信端末の端末識別情報と関連付けられている装置識別情報をデータベースから取得し、取得した装置識別情報で示される一の着側呼制御装置に該呼確立要求信号を送信する信号送信ステップと、一の着側呼制御装置が、信号送信ステップにおいて送信された呼確立要求信号に基づいて着信端末を呼び出す呼出ステップと、データベースが、一の着側呼制御装置の管理エリアから移動した着信端末が在圏するエリアを示す位置情報に基づいて、該着信端末に対応する装置識別情報を、該着信端末が在圏するエリアを管理する着側呼制御装置を示す新たな装置識別情報に更新する更新ステップと、データベースが、更新ステップにおいて装置識別情報が更新されたことを示す更新通知を、更新ステップにおいて更新される前の装置識別情報で示される一の着側呼制御装置に送信する更新通知送信ステップと、一の着側呼制御装置が、呼出ステップにおいて着信端末を呼び出しているときに更新通知送信ステップにおいて送信された更新通知を受信した場合に、該着信端末の呼出を中止し、該着信端末が他のエリアに移動したことを示す移動通知を発側呼制御装置に送信する移動通知送信ステップと、発側呼制御装置が、移動通知送信ステップにおいて送信された移動通知を受信する移動通知受信ステップと、発側呼制御装置が、移動通知受信ステップにおいて移動通知が受信された場合に、着信端末の端末識別情報に対応する装置識別情報をデータベースから再度取得し、取得した装置識別情報で示される別の着側呼制御装置に呼確立要求信号を再送信する信号再送信ステップと、を含むことを特徴とする。
【０００８】
このような呼制御システム及び呼制御方法によれば、一の着側呼制御装置が着信端末を呼び出している最中にその着信端末が該一の着側呼制御装置の管理エリアから別の着側呼制御装置の管理エリアに移動すると、データベースに記憶されている着信端末に対応する装置識別情報が、該別の着側呼制御装置を示す新たな装置識別情報に更新される。続いて、その更新を示す更新通知が、呼出処理を実行中の一の着側呼制御装置に送信され、その更新通知に基づいて該一の着側呼制御装置における呼出処理が中止され、着信端末が移動したことを示す移動通知が該一の着側呼制御装置から発側呼制御装置に送信される。そして、その移動通知に基づいて、着信端末に対応する装置識別情報が再度取得され、新たな装置識別情報で示される別の着側呼制御装置に呼確立要求信号が再送信される。これにより、着信処理（呼出処理）中に着信端末が移動した場合には、移動先のエリアを管理する着側呼制御装置によりその着信処理が引き継がれるので、呼制御装置が管理するエリアを跨いで移動した通信端末に対して、呼損を生じることなく着信処理を実行できる。
【０００９】
本発明の呼制御システムでは、更新通知送信手段が、着信端末が在圏するエリアを管理するコアネットワークの種類を示す在圏情報を含む更新通知を送信し、移動通知送信手段が、更新通知送信手段により送信された更新通知から抽出した在圏情報を含む移動通知を送信し、信号再送信手段が、移動通知送信手段により送信された移動通知に含まれる在圏情報に基づいて、呼確立要求信号に基づく呼出処理をどのコアネットワークを介して実行するかを決定し、決定結果に基づいて、着信端末の端末識別情報に対応する装置識別情報をデータベースから再度取得することが好ましい。
【００１０】
この場合、更新通知及び移動通知に、着信端末の移動先のエリアを管理するコアネットワークの種類を示す在圏情報が含まれる。そして、発側呼制御装置において、どのコアネットワークを介して着信端末を再度呼び出すかが決定され、その決定結果に基づいて装置識別情報が再度取得される。これにより、呼制御システムが複数種類のコアネットワークを備えている場合でも、呼損を生じることなく着信処理を実行できる。
【発明の効果】
【００１１】
このような呼制御システム及び呼制御方法によれば、着信端末に対応する装置識別情報が更新されたことが着信処理中の着側呼制御装置に通知され、その着側呼制御装置から発側呼制御装置に着信端末が移動したことが通知され、その発側呼制御装置において、更新後の装置識別情報で示される別の着側呼制御装置に呼確立要求信号が送信される。したがって、呼制御装置が管理するエリアを跨いで移動した通信端末に対して、呼損を生じることなく着信処理を実行できる。
【発明を実施するための最良の形態】
【００１２】
以下、添付図面を参照しながら本発明の実施形態を詳細に説明する。なお、図面の説明において同一又は同等の要素には同一の符号を付し、重複する説明を省略する。
【００１３】
（第１実施形態）
まず、図１及び２を用いて、第１実施形態に係る呼制御システム１の全体構成を説明する。図１は呼制御システム１の全体構成を示す図である。図２は、その呼制御システム１の詳細な構成を示す図である。
【００１４】
呼制御システム１は、発信端末（携帯電話機）ＭＳと、発信端末ＭＳが在圏する発側ネットワークＮＳと、着信端末（携帯電話機）ＭＲと、着信端末ＭＲが在圏する着側ネットワークＮＲと、発側ネットワークＮＳと着側ネットワークＮＲとを接続するコアネットワークＮＣとを備えている。発側ネットワークＮＳ及び着側ネットワークＮＲは、共に第三世代無線ネットワークである。もっとも、アクセスネットワークの構成は限定されるものではない。
【００１５】
コアネットワークＮＣはＩＭＳネットワークであり、発側ＣＳＣＦ（発側呼制御装置）１０、ＨＳＳで構成される加入者データベース２０、複数の着側ＣＳＣＦ（着側呼制御装置）３０及び複数の着側ＣＳ−ＧＷ４０を含んで構成されている。
【００１６】
発側ＣＳＣＦ１０は、発信端末ＭＳと着信端末ＭＲとを通信接続するために呼制御を実行する呼制御装置である。発側ＣＳＣＦ１０は、発信端末ＭＳから送信され、発側ネットワークＮＳとコアネットワークＮＣとを接続する発側ＣＳ−ＧＷ（図示せず）を経由して伝送されてきたＩＮＶＩＴＥメッセージ（呼確立要求信号）を受信し、その信号から着信端末ＭＲのユーザ識別子を抽出する。続いて、発側ＣＳＣＦ１０は抽出したユーザ識別子を含むＬＩＲ（Location Information Request）メッセージを加入者データベース２０に送信し、そのＬＩＲメッセージに応じて加入者データベース２０から送信されたＬＩＡ（Location Information Answer）メッセージを取得する。このＬＩＡメッセージは、送信したユーザ識別子に対応するＣＳＣＦアドレス（後述）を含む信号である。続いて、発側ＣＳＣＦ１０は取得したＣＳＣＦアドレスに基づいて、ＩＮＶＩＴＥメッセージを着側ＣＳＣＦ（例えば着側ＣＳＣＦ３０ａ）に送信する。
【００１７】
加入者データベース２０は、携帯電話機のユーザ識別子と、その携帯電話機の呼制御を実行するＣＳ−ＧＷ、ＣＳＣＦ及び図示しないＡＳをそれぞれ識別するＧＷアドレス、ＣＳＣＦアドレス、及びＡＳアドレスとが関連付けられた加入者情報（プロファイル）を記憶するデータベースサーバである。ユーザ識別子は、携帯電話機を示す端末識別情報であり、ＣＳＣＦアドレスは、その携帯電話機と通信可能なＣＳＣＦを示す装置識別情報である。ＧＷアドレス、ＣＳＣＦアドレス及びＡＳアドレスは、携帯電話機があるエリアから他のエリアに移動する度に、その携帯電話機の在圏エリアを示す位置情報に基づいて更新される。なお、加入者情報には、ユーザ識別子、ＧＷアドレス、ＣＳＣＦアドレス、及びＡＳアドレス以外にも、呼制御を実行するための各種情報（例えば暗証番号や認証情報など）が含まれるが、他の情報については説明を省略する。
【００１８】
着側ＣＳＣＦ３０は、発信端末ＭＳと着信端末ＭＲとを通信接続するために呼制御を実行する呼制御装置である。着側ＣＳＣＦ３０は、所定のエリア単位（例えば都道府県単位）で設置されており、自装置が管理するエリア（管理エリア）内に在圏する携帯電話機に対する着信処理（呼出処理）を実行することが可能である。着側ＣＳＣＦ３０は、発側ＣＳＣＦ１０からＩＮＶＩＴＥメッセージを受信すると、自装置の管理エリア内に在圏する着信端末ＭＲを呼び出す。具体的には、着側ＣＳＣＦ３０は受信したＩＮＶＩＴＥメッセージを着側ＣＳ−ＧＷ４０に転送し、着側ＣＳ−ＧＷ４０を介して着信端末ＭＲを呼び出す。
【００１９】
着側ＣＳ−ＧＷ４０は、着側ネットワークＮＲと接続する通信制御装置である。着側ＣＳ−ＧＷ４０は着側ＣＳＣＦ３０からＩＮＶＩＴＥメッセージを受信し、そのＩＮＶＩＴＥメッセージに基づいて着信端末ＭＲを呼び出す。これにより、通常は、着信端末ＭＲに対する着信処理が完了する。
【００２０】
なお、以下では、エリアＡａを管理する着側ＣＳＣＦ３０及び着側ＣＳ−ＧＷ４０をそれぞれ着側ＣＳＣＦ３０ａ、着側ＣＳ−ＧＷ４０ａともいい、エリアＡｂを管理する着側ＣＳＣＦ３０及び着側ＣＳ−ＧＷ４０をそれぞれ着側ＣＳＣＦ３０ｂ及び着側ＣＳ−ＧＷ４０ｂともいう。
【００２１】
続いて、図３及び４を用いて、図２に示す発側ＣＳＣＦ１０の機能構成を説明する。図３は発側ＣＳＣＦ１０の機能構成を示す図である。図４は発側ＣＳＣＦ１０のハードウェア構成を示す図である。
【００２２】
発側ＣＳＣＦ１０は、機能的構成要素として加入者情報管理部１１、ルーティング制御部１２及び着信制御部１３（信号送信手段、移動通知受信手段、信号再送信手段）を備えている。
【００２３】
発側ＣＳＣＦ１０は、図４に示すように、ＣＰＵ１０１と、ＲＯＭやＲＡＭで構成される主記憶部１０２と、ハードディスクなどで構成される補助記憶部１０３と、着側ＣＳＣＦ３０などの他の通信装置との間で信号の送受信を行うための通信インタフェース１０４と、キーやスイッチなどで構成される入力部１０５と、モニタなどで構成される出力部１０６とを備えている。図３に示す発側ＣＳＣＦ１０の各機能は、ＣＰＵ１０１又は主記憶部１０２上に所定のコンピュータソフトウェアを読み込ませ、ＣＰＵ１０１の制御の下で通信インタフェース１０４、入力部１０５及び出力部１０６を動作させるとともに、主記憶部１０２又は補助記憶部１０３に対してデータの読み出し又は書き込みを行うことで実現される。
【００２４】
加入者情報管理部１１は、携帯電話機（通信端末）の加入者情報を記憶するデータベースである。加入者情報管理部１１は、後述する加入者データベース２０に記憶されている加入者情報の一部（ＣＳＣＦアドレスなど）のコピーを記憶している。
【００２５】
ルーティング制御部１２は、ＩＮＶＩＴＥメッセージを着側ＣＳＣＦ３０に送信するために必要なルーティング情報を生成する手段である。後述するように着信制御部１３からＣＳＣＦアドレスが入力されると、ルーティング制御部１２はそのＣＳＣＦアドレスに基づいてＩＮＶＩＴＥメッセージを送信する経路を決定し、決定した経路を示すルーティング情報を着信制御部１３に出力する。
【００２６】
着信制御部１３は、他の呼制御装置や通信制御装置との間の通信を実行する手段であり、いくつかの機能を有する。
【００２７】
まず、着信制御部１３は、ＩＮＶＩＴＥメッセージに含まれる着信端末ＭＲのユーザ識別子と関連付けられているＣＳＣＦアドレスをデータベースから取得し、取得したＣＳＣＦアドレスで示される着側ＣＳＣＦ３０にそのＩＮＶＩＴＥメッセージを送信する手段である。
【００２８】
着信制御部１３は、ＩＮＶＩＴＥメッセージから着信端末ＭＲのユーザ識別子を抽出し、そのユーザ識別子に関連付けられるＣＳＣＦアドレスを加入者情報管理部１１から取得する。続いて、着信制御部１３は、取得したＣＳＣＦアドレスをルーティング制御部１２に出力し、その出力に応じてルーティング制御部１２から入力されたルーティング情報を取得する。続いて、着信制御部１３はそのルーティング情報に基づいてＩＮＶＩＴＥメッセージを着側ＣＳＣＦ３０に送信する。
【００２９】
また、着信制御部１３は、ＩＮＶＩＴＥメッセージの送信先である着側ＣＳＣＦ３０から、着信端末ＭＲが他のエリアに移動したことを示す移動通知（ＳＩＰ＿４ｘｘメッセージ）を受信した場合に、着信端末ＭＲに対応するＣＳＣＦアドレスをデータベースから再度取得し、取得したＣＳＣＦアドレスで示される別の着側ＣＳＣＦ３０にＩＮＶＩＴＥメッセージを再送信する手段である。
【００３０】
着信制御部１３は、着側ＣＳＣＦ３０から移動通知を受信すると、着信端末ＭＲのユーザ識別子を加入者データベース２０に送信し、この送信に応じて加入者データベース２０から送信されてきたＣＳＣＦアドレスを取得する。続いて、着信制御部１３はそのＣＳＣＦアドレスをルーティング制御部１２に出力することでルーティング情報を取得し、取得したルーティング情報に基づいてＩＮＶＩＴＥメッセージを、取得したＣＳＣＦアドレスで示される着側ＣＳＣＦ３０に再送信する。
【００３１】
続いて、図５を用いて、図２に示す加入者データベース２０の機能構成を説明する。図５は加入者データベース２０の機能構成を示す図である。
【００３２】
加入者データベース２０は、機能的構成要素として加入者情報管理部２１、ルーティング制御部２２、着信制御部２３及びRegistration処理部（更新手段、更新通知送信手段）２４を備えている。
【００３３】
加入者データベース２０のハードウェイ構成は図４に示す発側ＣＳＣＦ１０と同様であり、加入者データベース２０の各機能がハードウェア上でどのように実現されるかも、発側ＣＳＣＦ１０について説明したことと同様である。
【００３４】
加入者情報管理部２１は、携帯電話機の加入者情報を記憶するデータベースである。加入者情報管理部２１は、携帯電話機が在圏するアクセスネットワークから受信した位置情報に基づいて、その携帯電話機の加入者情報を更新する。ここで、位置情報は後述するRegistration処理部２４から入力され、その位置情報に基づく更新は携帯電話機がエリア間を移動する度に実行される。例えば、着信端末ＭＲが、着側ＣＳＣＦ３０ａが管理するエリアＡａから着側ＣＳＣＦ３０ｂが管理するエリアＡｂに移動した場合、加入者情報管理部２１は、着信端末ＭＲの加入者情報を、エリアＡｂを管理する着側ＣＳＣＦ３０ｂのＣＳＣＦアドレスを含む新たな加入者情報で更新する。
【００３５】
ルーティング制御部２２は、各種情報を他の通信機器に送信するためのルーティング情報を生成する手段である。
【００３６】
着信制御部２３は、発側ＣＳＣＦ１０が着側ＣＳＣＦ３０にＩＮＶＩＴＥメッセージを送信する際に必要なＣＳＣＦアドレスを発側ＣＳＣＦ１０に提供する手段である。着信制御部２３は、発側ＣＳＣＦ１０から着信端末ＭＲのユーザ識別子を受信すると、そのユーザ識別子に関連付けられているＣＳＣＦアドレスを加入者情報管理部２１から取得して発側ＣＳＣＦ１０に送信する。
【００３７】
Registration処理部２４は、携帯電話機の位置情報に基づいてその携帯電話機の加入者情報を更新し、その更新を示す更新通知を、更新前のＣＳＣＦアドレスで示される着側ＣＳＣＦ３０に送信する手段である。
【００３８】
Registration処理部２４の処理を、着信端末ＭＲがエリアＡａからエリアＡｂに移動した場合を例に説明する。着信端末ＭＲがエリアＡｂに移動すると、着信端末ＭＲからの要求に基づいて、着信端末ＭＲの現在位置を示す位置情報が着側アクセスネットワークＮＲ内において登録される。その後、その位置情報を含む位置登録要求が着側ＣＳ−ＧＷ４０ｂ、着側ＣＳＣＦ３０ｂ及びエリアＡｂのＡＳ（図示せず）を介して加入者データベース２０に送信される。この時点で、位置登録要求には、着側ＣＳ−ＧＷ４０ｂのＧＷアドレス、着側ＣＳＣＦ３０ｂのＣＳＣＦアドレス、及びエリアＡｂのＡＳのＡＳアドレスが付加される。
【００３９】
Registration処理部２４は、このように送信されてきた位置登録要求に含まれるＧＷアドレス、ＣＳＣＦアドレス及びＡＳアドレスを着信端末ＭＲのユーザ識別子と関連付けて加入者情報管理部２１に記憶する。これにより、加入者情報が更新される。続いて、Registration処理部２４は、位置登録要求に基づいて加入者情報が更新されたことを示す位置登録応答を生成し、エリアＡｂのＡＳを介して着側ＣＳＣＦ３０ｂに送信する。この際、Registration処理部２４は着側ＣＳＣＦ３０ｂに関するルーティング情報をルーティング制御部２２から取得する。
【００４０】
また、Registration処理部２４は、加入者情報を更新すると、着信端末ＭＲの加入者情報が更新されたことを着側ＣＳＣＦ３０ａに通知すると共にその着側ＣＳＣＦ３０ａに対して着信端末ＭＲの加入者情報を削除することを指示するための更新通知を生成する。すなわち、更新通知はプロファイル削除指示でもある。更新通知は、着信端末ＭＲのユーザ識別子と、着信端末ＭＲがＩＭＳコアネットワークにより管理されるエリア内に移動したことを示す在圏情報「ＩＭＳ在圏」とを含む。Registration処理部２４は、生成した更新通知を、エリアＡａのＡＳ（図示せず）を介して、更新前のＣＳＣＦアドレスで示される着側ＣＳＣＦ３０ａに送信する。この際、Registration処理部２４は着側ＣＳＣＦ３０ａに関するルーティング情報をルーティング制御部２２から取得する。
【００４１】
続いて、図６を用いて、図２に示す着側ＣＳＣＦ３０の機能構成を説明する。図６は着側ＣＳＣＦ３０の機能構成を示す図である。
【００４２】
着側ＣＳＣＦ３０は、機能的構成要素として加入者情報管理部３１、ルーティング制御部３２、着信制御部（呼出手段）３３及びRegistration処理部（移動通知送信手段）３４を備えている。
【００４３】
着側ＣＳＣＦ３０のハードウェイ構成は図４に示す発側ＣＳＣＦ１０と同様であり、着側ＣＳＣＦ３０の各機能がハードウェア上でどのように実現されるかも、発側ＣＳＣＦ１０について説明したことと同様である。
【００４４】
加入者情報管理部３１は、携帯電話機の加入者情報を記憶するデータベースである加入者情報管理部３１は、加入者データベース２０に記憶されている加入者情報の一部（ＧＷアドレスなど）のコピーを記憶している。
【００４５】
ルーティング制御部３２は、ＩＮＶＩＴＥメッセージを着側ＣＳ−ＣＷ４０に送信するために必要なルーティング情報を生成する手段である。後述するように着信制御部３３からＧＷアドレスが入力されると、ルーティング制御部３２はそのＧＷアドレスに基づいてＩＮＶＩＴＥメッセージを送信する経路を決定し、決定した経路を示すルーティング情報を着信制御部３３に出力する。
【００４６】
着信制御部３３は、発側ＣＳＣＦ１０から受信したＩＮＶＩＴＥメッセージに基づいて着信端末ＭＲを呼び出す手段である。この呼出は、着側ＣＳ−ＧＷ４０を介して実行される。
【００４７】
着信制御部３３は、ＩＮＶＩＴＥメッセージから着信端末ＭＲのユーザ識別子を抽出し、そのユーザ識別子に関連付けられるＧＷアドレスを加入者情報管理部３１から取得する。続いて、着信制御部３３は、取得したＧＷアドレスをルーティング制御部３２に出力し、その出力に応じてルーティング制御部３２から入力されたルーティング情報を取得する。続いて、着信制御部３３はそのルーティング情報に基づいてＩＮＶＩＴＥメッセージを着側ＣＳ−ＧＷ４０に送信する。
【００４８】
また、着信制御部３３は、移動通知を着側ＣＳ−ＧＷ４０から受信し発側ＣＳＣＦ１０に送信（転送）する。この移動通知は、後述するように、着信端末ＭＲが他のエリアに移動したことを示す情報である。
【００４９】
Registration処理部３４は、着信端末ＭＲを呼び出しているときに加入者データベース２０から更新通知（プロファイル削除指示）を受信した場合に、着信端末ＭＲの呼出を中止する手段である。
【００５０】
Registration処理部３４は、加入者データベース２０から送信された更新通知を、図示しないＡＳを介して受信する。続いて、Registration処理部３４はその更新通知から着信端末ＭＲのユーザ識別子を抽出し、そのユーザ識別子に対応する加入者情報を加入者情報管理部３１から削除する。続いて、Registration処理部３４は、着信端末ＭＲの加入者情報が更新されたこと示す更新通知（ＮＯＴＩＦＹメッセージ）を着側ＣＳ−ＧＷ４０に送信する。この更新通知は、着信端末ＭＲのユーザ識別子と、着信端末ＭＲがＩＭＳコアネットワークにより管理されるエリア内に移動したことを示す在圏情報「ＩＭＳ在圏」とを含む。Registration処理部３４は、更新通知を着側ＣＳ−ＧＷ４０に送信することにより、着信制御部３３から着側ＣＳ−ＧＷ４０に送信されたＩＮＶＩＴＥメッセージに基づく呼出処理を中止する。
【００５１】
また、Registration処理部３４は、管理エリア内に移動してきた着信端末ＭＲについての位置登録要求（後述）を着側ＣＳ−ＧＷ４０から取得し、取得した位置登録要求に着側ＣＳ−ＧＷ４０のアドレスを付加する。続いて、Registration処理部３４はその位置登録要求をＡＳ（図示せず）を介して加入者データベース２０に送信する。その後、Registration処理部３４は、その位置登録要求に応じて加入者データベース２０から送信された位置登録応答に基づいて、着信端末ＭＲの加入者情報を加入者情報管理部３１に記憶し、位置登録応答を着側ＣＳ−ＧＷ４０に転送する。
【００５２】
続いて、図７を用いて、図２に示す着側ＣＳ−ＧＷ４０の機能構成を説明する。図７は着側ＣＳ−ＧＷ４０の機能構成を示す図である。
【００５３】
着側ＣＳ−ＧＷ４０は、機能的構成要素として信号受信部４１、着信処理部４２及びRegistration処理部４３を備えている。
【００５４】
着側ＣＳ−ＧＷ４０のハードウェイ構成は図４に示す発側ＣＳＣＦ１０と同様であり、着側ＣＳ−ＧＷ４０の各機能がハードウェア上でどのように実現されるかも、発側ＣＳＣＦ１０について説明したことと同様である。
【００５５】
信号受信部４１は、ＩＮＶＩＴＥメッセージ又は更新通知（ＮＯＴＩＦＹメッセージ）を着側ＣＳＣＦ３０から受信する手段である。ＩＮＶＩＴＥメッセージを受信した場合、信号受信部４１はそのメッセージを着信処理部４２に出力する。更新通知を受信した場合、信号受信部４１はその通知をRegistration処理部４３に出力する。
【００５６】
着信処理部４２は、着側ＣＳＣＦ３０から受信したＩＮＶＩＴＥメッセージに基づいて着信端末ＭＲを呼び出す手段である。信号受信部４１からＩＮＶＩＴＥメッセージが入力されると、着信処理部４２はそのメッセージに基づいて着信端末ＭＲに対する着信処理（ページング処理）を実行する。この着信処理を実行する際には、着信処理部４２は必要に応じて所定の信号解析処理やプロトコル変換処理を実行する。
【００５７】
着信処理部４２は、この呼出処理を実行中にRegistration処理部４３から中止信号が入力されると、その呼出処理を中止する。続いて、着信処理部４２は、着信端末ＭＲが別のエリアに移動したこと及びその移動によりその着信端末ＭＲを呼び出せないことを示す移動通知（ＳＩＰ＿４ｘｘメッセージ）を生成し、その通知をＩＮＶＩＴＥメッセージの送信元である着側ＣＳＣＦ３０に送信する。この移動通知は、着信端末ＭＲのユーザ識別子と、信号受信部４１により受信された更新通知に含まれている在圏情報「ＩＭＳ在圏」とを含む。
【００５８】
Registration処理部４３は、着信端末ＭＲを呼び出しているときに着側ＣＳＣＦ３０から更新通知（ＮＯＴＩＦＹメッセージ）を受信した場合に、着信端末ＭＲの呼出を中止する手段である。信号受信部４１から更新通知が入力されると、Registration処理部４３は、着信端末ＭＲの呼出しを中止するための中止信号を生成して着信処理部４２に出力する。
【００５９】
また、Registration処理部４３は、管理エリア内に移動してきた着信端末ＭＲの位置情報を着側アクセスネットワークＮＲから取得し、取得した位置情報と、着側ＣＳ−ＧＷ４０のＧＷアドレスとを含む位置登録要求を生成する。続いて、Registration処理部４３は、生成した位置登録要求を、ＩＮＶＩＴＥメッセージの送信元である着側ＣＳＣＦ３０に送信する。その後、Registration処理部４３は、位置登録要求に応じて加入者データベース２０から送信され着側ＣＳＣＦ３０を経由して転送されてきた位置登録応答を着信端末ＭＲに送信する。
【００６０】
次に、図８を用いて、図１に示す呼制御システム１の処理を説明するとともに第１実施形態に係る呼制御方法について説明する。図８は、呼制御システム１の処理を示すシーケンス図である。ここでは、着信処理と、着信端末ＭＲのエリアＡａからエリアＡｂへの移動とがほぼ同時に行われたために、ＩＮＶＩＴＥメッセージの再送信処理が実行される場合を例に説明する。
【００６１】
まず、発信端末ＭＳの発信処理に基づいて、ＩＮＶＩＴＥメッセージが発側ＣＳＣＦ１０から着側ＣＳＣＦ３０ａを経由して着側ＣＳ−ＧＷ４０ａに送信され（ステップＳ１１、信号送信ステップ）、そのＩＮＶＩＴＥメッセージに基づいて着信端末ＭＲが呼び出される（ステップＳ１２、呼出ステップ）。しかし、この着信処理の直前に着信端末ＭＲがエリアＡａからエリアＡｂに移動したために（ステップＳ１３）、その着信処理は失敗する。
【００６２】
着信端末ＭＲがエリアＡｂに移動すると（ステップＳ１３）、その着信端末ＭＲの要求に基づいて位置登録要求が着側ＣＳ−ＧＷ４０ｂから着側ＣＳＣＦ３０ｂ及びエリアＡｂのＡＳ（図示せず）を経由して加入者データベース２０に送信される（ステップＳ１４）。続いて、加入者データベース２０において着信端末ＭＲの加入者情報が更新され（ステップＳ１５、更新ステップ）、位置登録応答がエリアＡｂのＡＳ（図示せず）を介して着側ＣＳＣＦ３０ｂ、着側ＣＳ−ＧＷ４０ｂ、着信端末ＭＲに順次送信される（ステップＳ１６）。
【００６３】
また、加入者データベース２０において着信端末ＭＲの加入者情報が更新されると（ステップＳ１５、更新ステップ）、その更新を示す更新通知が加入者データベース２０から着側ＣＳＣＦ３０ａ及び着側ＣＳ−ＧＷ４０ａに順次送信される（ステップＳ１７、更新通知送信ステップ）。続いて、着側ＣＳ−ＧＷ４０ａにおいて、既にエリアＡａに存在しない着信端末ＭＲを呼び出す処理が中止される（ステップＳ１８、移動通知送信ステップ）。続いて、着信端末ＭＲが別のエリアに移動したこと及びその移動によりその着信端末ＭＲを呼び出せないことを示す移動通知が着側ＣＳ−ＧＷ４０ａから着側ＣＳＣＦ３０ａを経由して発側ＣＳＣＦ１０に送信される（ステップＳ１９、移動通知送信ステップ及び移動通知受信ステップ）。
【００６４】
続いて、発側ＣＳＣＦ１０から加入者データベース２０に対して着信端末ＭＲの更新後のＣＳＣＦアドレスが要求され（ステップＳ２０）、その要求に応じて加入者データベース２０から発側ＣＳＣＦ１０に更新後のＣＳＣＦアドレス、すなわち着側ＣＳＣＦ３０ｂのアドレスが送信される（ステップＳ２１）。続いて、着信端末ＭＲの呼出処理を継続するために、ＩＮＶＩＴＥメッセージが発側ＣＳＣＦ１０から着側ＣＳＣＦ３０ｂに再送信され（ステップＳ２２、信号再送信ステップ）、更に着側ＣＳ−ＧＷ４０ｂに転送される（ステップＳ２３）。そして、そのＩＮＶＩＴＥメッセージに基づいて、エリアＡｂに在圏する着信端末ＭＲが呼び出される（ステップＳ２４）。
【００６５】
以上説明したように、第１実施形態によれば、着信処理中に着信端末ＭＲがエリアＡａからエリアＡｂに移動した場合には、エリアＡｂを管理する着側ＣＳＣＦ３０ｂによりその着信処理が引き継がれるので、ＣＳＣＦが管理するエリアを跨いで移動した着信端末ＭＲに対して、呼損を生じることなく着信処理を実行できる。
【００６６】
（第２実施形態）
次に、図９を用いて、第２実施形態に係る呼制御システム２を説明する。図９は、呼制御システム２の構成を示す図である。以下では、第１実施形態と同様の部分についての説明を省略する。
【００６７】
呼制御システム２は、第１実施形態におけるコアネットワークＮＣに代えてコアネットワークＮＣ２を備えている。コアネットワークＮＣ２は、ＩＭＳコアネットワークＮａと第三世代コアネットワーク（以下では「３Ｇコアネットワーク」という）Ｎｂとを含んで構成されている。ＩＭＳコアネットワークＮａ内には、発側ＣＳＣＦ５０、着側ＣＳＣＦ７０及び着側ＣＳ−ＧＷ８０が設置されている。３ＧコアネットワークＮｂ内には着側ＭＳＣ／ＶＬＲ（Mobile Switching Center/Visitor Location Register）（着側呼制御装置）９０が設置されている。加入者データベース６０は、ＩＭＳコアネットワークＮａ及び３ＧコアネットワークＮｂにより使用される。
【００６８】
続いて、図１０を用いて、図９に示す発側ＣＳＣＦ５０の機能構成を説明する。図１０は発側ＣＳＣＦ５０の機能構成を示す図である。
【００６９】
発側ＣＳＣＦ５０は、機能的構成要素として加入者情報管理部５１、ルーティング制御部５２及び着信制御部５３を備えている。発側ＣＳＣＦ５０は、ＩＮＶＩＴＥメッセージを着側ＣＳＣＦ７０に送信する他に、ＡＳ（図示せず）及び加入者データベース６０経由でＭＡＰプロトコルに基づくＳＲＩ（Send Routing Information）／ＰＲＮ（Provide Routing Number）メッセージ（呼確立要求信号）を着側ＭＳＣ／ＶＬＲ９０に送信することが可能である。加入者情報管理部５１及びルーティング制御部５２の機能は、第１実施形態における加入者情報管理部１１及びルーティング制御部１２の機能と同様である。
【００７０】
発側ＣＳＣＦ５０から着側ＭＳＣ／ＶＬＲ９０へのＳＲＩ／ＰＲＮメッセージの送信は、実際には二つのステップに大きく分けられる。その最初のステップは、発側ＣＳＣＦ５０がＡＳ（図示せず）を経由して加入者データベース６０にＳＲＩメッセージを送信する処理であり、二番目のステップは、ＳＲＩメッセージを受信した加入者データベース６０が着側ＭＳＣ／ＶＬＲ９０にＰＲＮメッセージを送信する処理である。以下では、これらの処理をまとめてＳＲＩ／ＰＲＮメッセージの送信ともいう。
【００７１】
着信制御部５３は、第１実施形態における着信制御部１３の機能に加えて以下に示す機能を有する。着信制御部５３は、ＩＮＶＩＴＥメッセージの送信先である着側ＣＳＣＦ７０、又はＳＲＩ／ＰＲＮメッセージの送信先である着側ＭＳＣ／ＶＬＲ９０から移動通知を受信した場合に、受信したメッセージから在圏情報（「ＩＭＳ在圏」又は「３Ｇ在圏」）を抽出する。
【００７２】
在圏情報「ＩＭＳ在圏」を抽出した場合には、着信制御部５３はＩＭＳコアネットワークＮａを介して着信端末ＭＲを呼び出すことを決定する。続いて、着信制御部５３は、着信端末ＭＲのユーザ識別子を加入者データベース６０に送信し、この送信に応じて加入者データベース６０から送信されてきたＣＳＣＦアドレスを取得する。続いて、着信制御部５３はそのＣＳＣＦアドレスで示される着側ＣＳＣＦ７０にＩＮＶＩＴＥメッセージを再送信する。
【００７３】
一方、在圏情報「３Ｇ在圏」を抽出した場合には、着信制御部５３は３ＧコアネットワークＮｂを介して着信端末ＭＲを呼び出すことを決定する。続いて、着信制御部５３は、着信端末ＭＲのユーザ識別子を含むＳＲＩメッセージを加入者データベース６０に送信する。このＳＲＩメッセージの送信を契機とするＳＲＩ／ＰＲＮメッセージ送信処理が、着側ＭＳＣ／ＶＬＲ９０への呼確立要求信号の再送信に当たる。
【００７４】
続いて、図１１を用いて、図９に示す加入者データベース６０の機能構成を説明する。図１１は加入者データベース６０の機能構成を示す図である。
【００７５】
加入者データベース６０は、機能的構成要素として加入者情報管理部６１、ルーティング制御部６２、着信制御部６３及びRegistration処理部６４を備えている。
【００７６】
加入者情報管理部６１は、携帯電話機の加入者情報を記憶するデータベースであり、ＨＳＳ部６１ａとＨＬＲ部６１ｂとを備えている。ＨＳＳ部６１ａは、携帯電話機のユーザ識別子、ＧＷアドレス、ＣＳＣＦアドレス及びＡＳアドレスが関連付けられた加入者情報を記憶する。ＨＬＲ部６１ｂは、携帯電話機のユーザ識別子と、３ＧコアネットワークＮｂにおいて携帯電話機の呼制御を実行するＭＳＣ／ＶＬＲを識別するＶＬＲアドレスとが関連付けられた加入者情報を記憶する。
【００７７】
ルーティング制御部６２の機能は、第１実施形態におけるルーティング制御部２２と同様である。
【００７８】
着信制御部６３は、発側ＣＳＣＦ５０にＣＳＣＦアドレスを提供する手段である。着信制御部６３は、発側ＣＳＣＦ５０から着信端末ＭＲのユーザ識別子を受信すると、そのユーザ識別子に関連付けられているＣＳＣＦアドレスをＨＳＳ部６１ａから取得し発側ＣＳＣＦ５０に送信する。また、着信制御部６３は、発側ＣＳＣＦ５０からのＳＲＩメッセージに基づいて着側ＭＳＣ／ＶＬＲ９０にＰＲＮメッセージを送信する手段である。着信制御部６３は、ＳＲＩメッセージに含まれているユーザ識別子に関連付けられているＶＬＲアドレスをＨＬＲ部６１ｂから取得し、そのＶＬＲアドレスで示される着側ＭＳＣ／ＶＬＲ９０にＰＲＮメッセージを送信する。
【００７９】
Registration処理部６４は、携帯電話機の位置情報に基づいてその携帯電話機の加入者情報を更新し、その更新を示す更新通知を、更新前のＣＳＣＦアドレスで示される着側ＣＳＣＦ７０又は更新前のＶＬＲアドレスで示される着側ＭＳＣ／ＶＬＲ９０に送信する手段である。
【００８０】
Registration処理部６４は、受信した位置登録応答に基づいて着信端末ＭＲの加入者情報を更新する。着側ＣＳＣＦ７０から図示しないＡＳを経由して位置登録応答を受信した場合には、Registration処理部６４はＨＳＳ部６１ａに加入者情報を記憶する。このとき、着信端末ＭＲの加入者情報（移動前の情報）がＨＬＲ部６１ｂに記憶されている場合には、Registration処理部６４は、ＨＬＲ部６１ｂから着信端末ＭＲの加入者情報を削除する。これに対して、着側ＭＳＣ／ＶＬＲ９０から位置登録応答を受信した場合には、Registration処理部６４はＨＬＲ部６１ｂに加入者情報を記憶する。このとき、着信端末ＭＲの加入者情報（移動前の情報）がＨＳＳ部６１ａに記憶されている場合には、Registration処理部６４は、ＨＳＳ部６１ａから着信端末ＭＲの加入者情報を削除する。
【００８１】
Registration処理部６４は、加入者情報を更新すると、その更新を示す位置登録応答を生成し、着側ＣＳＣＦ７０又は着側ＭＳＣ／ＶＬＲ９０に送信する。また、Registration処理部６４は、ＩＭＳコアネットワークＮａが管理するエリアと３ＧコアネットワークＮｂが管理するエリアとのうちどちらに着信端末ＭＲが移動したかを更新結果に基づいて判定する。
【００８２】
着信端末ＭＲの移動先がＩＭＳコアネットワークＮａ管理下のエリアである場合、Registration処理部６４は、着信端末ＭＲのユーザ識別子と在圏情報「ＩＭＳ在圏」とを含む更新通知（プロファイル削除指示）を生成し、着信処理中の着側ＣＳＣＦ７０又は着側ＭＳＣ／ＶＬＲ９０にその通知を送信する。ここで、在圏情報「ＩＭＳ在圏」とは、着信端末ＭＲがＩＭＳコアネットワークＮａにより管理されるエリア内に移動したことを示す情報である。
【００８３】
これに対して、着信端末ＭＲの移動先が３ＧコアネットワークＮｂ管理下のエリアである場合、Registration処理部６４は、着信端末ＭＲのユーザ識別子と在圏情報「３Ｇ在圏」とを含む更新通知（プロファイル削除指示）を生成し、着信処理中の着側ＣＳＣＦ７０又は着側ＭＳＣ／ＶＬＲ９０にその通知を送信する。ここで、在圏情報「３Ｇ在圏」とは、着信端末ＭＲが３ＧコアネットワークＮｂにより管理されるエリア内に移動したことを示す情報である。したがって、在圏情報は、着信端末ＭＲが在圏するエリアを管理するコアネットワークの種類を示す情報であるといえる。
【００８４】
着側ＣＳＣＦ７０及び着側ＣＳ−ＧＷ８０の機能は、第１実施形態における着側ＣＳＣＦ３０及び着側ＣＳ−ＧＷ４０の機能と同様であるので、説明を省略する。
【００８５】
続いて、図１２を用いて、図９に示す着側ＭＳＣ／ＶＬＲ９０の機能構成を説明する。図９は着側ＭＳＣ／ＶＬＲ９０の機能構成を示す図である。
【００８６】
着側ＭＳＣ／ＶＬＲ９０は、機能的構成要素として信号受信部９１、着信処理部（呼出手段）９２及びRegistration処理部（移動通知送信手段）９３を備えている。
【００８７】
着側ＭＳＣ／ＶＬＲ９０のハードウェイ構成は図４に示す発側ＣＳＣＦ１０と同様であり、着側ＭＳＣ／ＶＬＲ９０の各機能がハードウェア上でどのように実現されるかも、発側ＣＳＣＦ１０について説明したことと同様である。
【００８８】
信号受信部９１は、加入者データベース６０により送信されたＰＲＮメッセージ又は更新通知を受信する手段である。ＰＲＮメッセージを受信した場合、信号受信部９１はそのメッセージを着信処理部９２に出力する。更新通知を受信した場合、信号受信部９１はその通知をRegistration処理部９３に出力する。
【００８９】
着信処理部９２は、加入者データベース６０から受信したＰＲＮメッセージに基づいて着信端末ＭＲを呼び出す手段である。着信処理部９２は、呼出処理を実行中にRegistration処理部９３から中止信号が入力されると、その呼出処理を中止する。続いて、着信処理部９２は、着信端末ＭＲが別のエリアに移動したこと及びその移動によりその着信端末ＭＲを呼び出せないことを示す移動通知を生成し、その通知を、加入者データベース６０経由で、ＳＲＩ／ＰＲＮメッセージの送信元である発側ＣＳＣＦ５０に送信する。この移動通知は、着信端末ＭＲのユーザ識別子と、更新通知から抽出した在圏情報とを含む。移動通知は、着側ＭＳＣ／ＶＬＲ９０から加入者データベース６０まではＰＲＮメッセージのエラー応答として送信され、加入者データベース６０から発側ＣＳＣＦ５０まではＳＲＩメッセージのエラー応答として送信される。
【００９０】
Registration処理部９３は、着信端末ＭＲを呼び出しているときに加入者データベース６０から更新通知を受信した場合に、着信端末ＭＲの呼出を中止する手段である。信号受信部９１から更新通知が入力されると、Registration処理部９３は、着信端末ＭＲの呼出しを中止するための中止信号を生成して着信処理部９２に出力する。
【００９１】
また、Registration処理部９３は、管理エリア内に移動してきた着信端末ＭＲの位置情報を着側アクセスネットワークＮＲから取得し、取得した位置情報と、着側ＭＳＣ／ＶＬＲ９０のＶＬＲアドレスとを含む位置登録要求を生成する。続いて、Registration処理部９３は、生成した位置登録要求を加入者データベース６０に送信する。その後、Registration処理部９３は、位置登録要求に応じて加入者データベース６０から送信された位置登録応答を受信し、着信端末ＭＲに転送する。
【００９２】
次に、図１３を用いて、図９に示す呼制御システム２の処理を説明するとともに第２実施形態に係る呼制御方法について説明する。図１３は、呼制御システム２の処理を示すシーケンス図である。図１３は、ＩＭＳコアネットワークＮａが管理するエリアＡｃから３ＧコアネットワークＮｂが管理するエリアＡｄへ着信端末ＭＲが移動する場合の処理を示している。
【００９３】
ステップＳ３１〜Ｓ３９の処理は、第１実施形態におけるステップＳ１１〜Ｓ１９の処理と略同様である。第１実施形態と異なるのは、ステップＳ３４及びＳ３６において、位置登録要求及び位置登録応答が着側ＭＳＣ／ＶＬＲ９０（３ＧコアネットワークＮｂ）を経由して伝送される点である。
【００９４】
その後、発側ＣＳＣＦ５０により受信された移動通知に含まれる在圏情報に基づいて、３ＧコアネットワークＮｂを介して呼出処理を実行することが決定される（ステップＳ４０）。続いて、発側ＣＳＣＦ５０から加入者データベース６０に対してＳＲＩメッセージが送信され（ステップＳ４１、信号再送信ステップ）、この送信に応じて加入者データベース６０から着側ＭＳＣ／ＶＬＲ９０にＰＲＮメッセージが送信される（ステップＳ４２、信号再送信ステップ）。そして、このＰＲＮメッセージに基づいて、エリアＡｄに在圏する着信端末ＭＲが呼び出される（ステップＳ４３）。
【００９５】
呼制御システム２の処理について、更に図１４を用いて説明する。図１４は、３ＧコアネットワークＮｂが管理するエリアＡｄからＩＭＳコアネットワークＮａが管理するエリアＡｃへ着信端末ＭＲが移動する場合の処理を示している。
【００９６】
ステップＳ５１ａ〜Ｓ５９ｂの処理は、第１実施形態におけるステップＳ１１〜Ｓ１９の処理と略同様である。ここでは、最初に着側ＭＳＣ／ＶＬＲ９０により呼出処理が実行されるため、発側ＣＳＣＦ５０から着側ＭＳＣ／ＶＬＲ９０までのメッセージの流れ（ステップＳ５１ａ及びＳ５１ｂ）、更新通知の送信先（ステップＳ５７）、呼出処理を中止する呼制御装置（ステップＳ５８）、移動通知の流れ（ステップＳ５９ａ及びＳ５９ｂ）などが第１実施形態とは異なる。
【００９７】
その後、発側ＣＳＣＦ５０により受信された移動通知に含まれる在圏情報に基づいて、ＩＭＳコアネットワークＮａを介して呼出処理を実行することが決定される（ステップＳ６０）。その後に続くステップＳ６１〜Ｓ６５の処理は、第１実施形態におけるステップＳ２０〜Ｓ２４の処理と同様である。
【００９８】
以上説明したように、第２実施形態によれば、着信処理中に着信端末ＭＲがエリア間を移動した場合には、移動先のエリアを管理する呼制御装置（着側ＣＳＣＦ７０又は着側ＭＳＣ／ＶＬＲ９０）によりその着信処理が引き継がれるので、ＣＳＣＦ又はＭＳＣ／ＶＬＲが管理するエリアを跨いで移動した着信端末ＭＲに対して、呼損を生じることなく着信処理を実行できる。
【００９９】
また、第２実施形態によれば、複数種類のコアネットワークＮａ，Ｎｂを備える呼制御システム２でも、呼損を生じることなく着信処理を実行できる。
【０１００】
以上、本発明をその実施形態に基づいて詳細に説明した。しかし、本発明は上記実施形態に限定されるものではない。本発明は、その要旨を逸脱しない範囲で以下のような様々な変形が可能である。
【０１０１】
上記第２実施形態では、加入者データベース６０がＨＳＳとＨＬＲの双方の機能を備えていたが、ＨＳＳとＨＬＲとが互いに別のサーバに搭載されていてもよい。この場合、在圏情報が「ＩＭＳ在圏」であれば、着信制御部５３はＨＳＳに着信端末ＭＲのユーザ識別子を送信することでＣＳＣＦアドレスを取得する。これに対して、在圏情報が「３Ｇ在圏」であれば、着信制御部５３はＨＬＲにＳＲＩメッセージを送信する。
【０１０２】
上記各実施形態では、更新通知及び移動通知が在圏情報を含んでいたが、上記第１実施形態のようにコアネットワークが一種類のみの場合には、これらの通知に在圏情報を含めなくてもよい。
【０１０３】
上記各実施形態では、通信端末として携帯電話機を採用したが、他のＰＤＡ（Personal Digital Assistant）などの他の種類の移動通信端末や、パーソナルコンピュータなどの固定端末を通信端末としてもよい。
【図面の簡単な説明】
【０１０４】
【図１】第１実施形態に係る呼制御システムの全体構成を示す図である。
【図２】図１に示す呼制御システムの構成を示す図である。
【図３】図２に示す発側ＣＳＣＦの機能構成を示す図である。
【図４】図２に示す発側ＣＳＣＦのハードウェア構成を示す図である。
【図５】図２に示す加入者データベースの機能構成を示す図である。
【図６】図２に示す着側ＣＳＣＦの機能構成を示す図である。
【図７】図２に示す着側ＣＳ−ＧＷの機能構成を示す図である。
【図８】図１に示す呼制御システムの処理を示すシーケンス図である。
【図９】第２実施形態に係る呼制御システムの構成を示す図である。
【図１０】図９に示す発側ＣＳＣＦの機能構成を示す図である。
【図１１】図９に示す加入者データベースの機能構成を示す図である。
【図１２】図９に示す着側ＭＳＣ／ＶＬＲの機能構成を示す図である。
【図１３】図９に示す呼制御システムの処理を示すシーケンス図である。
【図１４】図９に示す呼制御システムの処理を示すシーケンス図である。
【符号の説明】
【０１０５】
１，２…呼制御システム、１０，５０…発側ＣＳＣＦ（発側呼制御装置）、１１，５１…加入者情報管理部、１２，５２…ルーティング制御部、１３，５３…着信制御部（信号送信手段、移動通知受信手段、信号再送信手段）、２０，６０…加入者データベース、２１，６１…加入者情報管理部、２２，６２…ルーティング制御部、２３，６３…着信制御部、２４，６４…Registration処理部（更新手段、更新通知送信手段）、３０，７０…着側ＣＳＣＦ（着側呼制御装置）、３１…加入者情報管理部、３２…ルーティング制御部、３３…着信制御部（呼出手段）、３４…Registration処理部（移動通知送信手段）、４０，８０…着側ＣＳ−ＧＷ、４１…信号受信部、４２…着信処理部、４３…Registration処理部、６１ａ…ＨＳＳ部、６１ｂ…ＨＬＲ部、９０…着側ＭＳＣ／ＶＬＲ（着側呼制御装置）、９１…信号受信部、９２…着信処理部（呼出手段）、９３…Registration処理部（移動通知送信手段）、ＮＣ，ＮＣ２…コアネットワーク、Ｎａ…ＩＭＳコアネットワーク、Ｎｂ…３Ｇコアネットワーク
【図１】
0005000548.tif 000002
【図２】
0005000548.tif 000003
【図３】
0005000548.tif 000004
【図４】
0005000548.tif 000005
【図５】
0005000548.tif 000006
【図６】
0005000548.tif 000007
【図７】
0005000548.tif 000008
【図８】
0005000548.tif 000009
【図９】
0005000548.tif 000010
【図１０】
0005000548.tif 000011
【図１１】
0005000548.tif 000012
【図１２】
0005000548.tif 000013
【図１３】
0005000548.tif 000014
【図１４】
0005000548.tif 000015